(57)【要約】【課題】建物内における空気の通風量を調節するための屋内通風構造において、外観性の向上を図りつつ、屋内における空気の通風量を調節することができる。【解決手段】間仕切壁１の表裏に亙って開口する通風口２内に設けられるガラリ本体３は、当該ガラリ本体３を通風口２内に間仕切壁１の壁厚方向と直交する方向を中心として回転自在に支持する回転軸６を介して対向して設けられる一対の隔壁部７，７を有し、該隔壁部７，７を間仕切壁１の表裏両側における通風口２の開口端部２ｃに対向して配置させたり、隔壁部７，７を閉塞状態から回転軸６を中心に傾けたりして通風口２の開閉状態を切換えて空気の通風量を調節する。当該通風口２の縁部におけるガラリ本体３の回転軌跡Ｒの近傍かつ外側には、当該縁部とガラリ本体３との隙間を遮蔽する遮蔽壁部４を有する枠体５が設けられている。【選択図】図４
2014066068.tif 000002
【特許請求の範囲】
【請求項１】
建物内における空気の通風量を調節するための屋内通風構造であって、
前記建物内の部屋と部屋とを間仕切る間仕切壁に設けられ、当該間仕切壁の壁厚方向における表裏に亙って開口する通風口と、
前記通風口内に設けられ、前記間仕切壁の表裏に亙る空気の通風量を調節可能なガラリ本体と、
前記通風口の縁部に前記ガラリ本体の回転軌跡の近傍かつ外側に配置されるようにして取り付けられ、前記通風口の縁部と前記ガラリ本体との隙間を遮蔽する遮蔽壁部を有する枠体と、を備えており、
前記ガラリ本体は、
当該ガラリ本体を前記通風口内に前記間仕切壁の壁厚方向と直交する方向を中心として回転自在に支持する回転軸と、
前記回転軸を介して対向して設けられる一対の隔壁部と、を有し、
前記一対の隔壁部を、前記間仕切壁の表裏両側における前記通風口の開口端部に対向して配置させることで当該通風口を閉塞する閉塞状態と、
前記一対の隔壁部を、前記閉塞状態から前記回転軸を中心に傾けることで前記通風口を前記間仕切壁の表裏に亙って開放する開放状態と、を切換えるようにして前記空気の通風量を調節することを特徴とする屋内通風構造。
【請求項２】
請求項１に記載の屋内通風構造において、
前記遮蔽壁部は、前記通風口に対して複数設けられており、
当該複数の遮蔽壁部は、前記間仕切壁の表裏両側におけるそれぞれに、互いに離間して配置されていることを特徴とする屋内通風構造。
【請求項３】
請求項１または２に記載の屋内通風構造において、
前記ガラリ本体は、前記一対の隔壁部間にこれら隔壁部と平行に配設される羽根部を有していることを特徴とする屋内通風構造。
【請求項４】
請求項３に記載の屋内通風構造において、
前記羽根部は、前記一対の隔壁部と平行となる角度を含めて前記ガラリ本体の回転方向に角度調整可能に配設されることを特徴とする屋内通風構造。
【請求項５】
請求項１〜４のいずれか一項に記載の屋内通風構造において、
前記ガラリ本体が前記通風口内に複数隣接して設けられており、
前記一対の隔壁部は、それぞれ前記回転軌跡との交点同士を結ぶ直線を中心として、当該回転軌跡を反転させた形状に沿って前記回転軸側へ湾曲した形状をなしていることを特徴とする屋内通風構造。
【請求項６】
請求項１〜５のいずれか一項に記載の屋内通風構造において、
前記間仕切壁の上端側表裏面には、当該間仕切壁によって間仕切られる前記部屋と部屋との双方の天井板がそれぞれ取り付けられており、
前記通風口は、当該通風口の上端側が前記双方の天井板よりも上方に位置するようにして前記間仕切壁の天井際に形成されており、
前記ガラリ本体は、前記回転軸の回転中心が前記間仕切壁の壁厚方向と直交する水平方向に配置されるようにして前記通風口内に設けられており、
前記通風口の前記上端側に配置される前記枠体は、前記遮蔽壁部が前記双方の天井板のうち、前記通風口側の縁部に当接されるようにして当該天井板近傍に配置されていることを特徴とする屋内通風構造。
【発明の詳細な説明】
【技術分野】
【０００１】
本発明は、建物内における空気の通風量を調節するための屋内通風構造に関する。
【背景技術】
【０００２】
従来から住宅等の建物の内部に流入・流出される空気は、例えば、特許文献１や特許文献２等に記載される換気ガラリを用いて、建物の内外で換気したり、建物内部の部屋と部屋との間で通気したり、などして流通されている。この種の換気ガラリは、当該建物の外壁に面して建物内部と貫通するように設けられた開口部や、部屋と部屋とを間仕切る間仕切壁に貫設された開口部に配設され、羽根やシャッター等と呼ばれる部材を動かすことで、当該開口部を開放・閉塞し、当該開口部を介して流入・流出する空気の通風量を調節可能としつつ、建物の内外または各部屋間において空気を流通・通風するようになっている。
【先行技術文献】
【特許文献】
【０００３】
【特許文献１】特開平０９−２２１９６３号公報
【特許文献２】特開平０８−１６５７２３号公報
【発明の概要】
【発明が解決しようとする課題】
【０００４】
ところが、特許文献１，２のような換気ガラリにおいては、羽根やシャッター等を支持する枠や箱体（筐体）は、壁面の開口部に取り付けられた状態で動かすことができず、そのままの状態であるため、常に人目に晒される状態となっている。つまり、羽根やシャッター等で開口部を開放させた状態であっても、閉塞させた状態であっても、枠や筐体は常に壁面に取り付けられた状態で人の目に付くため、見映えが悪いということが懸念されていた。このため、外観性の向上を図りつつ、建物内、すなわち屋内における空気の通風量を調節することができる技術の開発が望まれていた。
【０００５】
そこで、本発明は上述した事情に鑑みてなされたもので、外観性の向上を図りつつ、屋内における空気の通風量を調節することができる屋内通風構造を実現することを目的とする。
【課題を解決するための手段】
【０００６】
請求項１に記載の発明は、例えば図１〜図７に示すように、建物内における空気の通風量を調節するための屋内通風構造であって、
前記建物内の部屋と部屋とを間仕切る間仕切壁１に設けられ、当該間仕切壁１の壁厚方向Ｘにおける表裏に亙って開口する通風口２と、
前記通風口２内に設けられ、前記間仕切壁１の表裏に亙る空気の通風量を調節可能なガラリ本体３と、
前記通風口２の縁部２ａに前記ガラリ本体３の回転軌跡Ｒの近傍かつ外側に配置されるようにして取り付けられ、前記通風口２の縁部２ａと前記ガラリ本体３との隙間を遮蔽する遮蔽壁部４を有する枠体５と、を備えており、
前記ガラリ本体３は、
当該ガラリ本体３を前記通風口２内に前記間仕切壁１の壁厚方向Ｘと直交する方向（例えば、水平方向Ｙ）を中心として回転自在に支持する回転軸６と、
前記回転軸６を介して対向して設けられる一対の隔壁部７，７と、を有し、
前記一対の隔壁部７，７を、前記間仕切壁１の表裏両側における前記通風口２の開口端部２ｃに対向して配置させることで当該通風口２を閉塞する閉塞状態と、
前記一対の隔壁部７，７を、前記閉塞状態から前記回転軸６を中心に傾けることで前記通風口２を前記間仕切壁１の表裏に亙って開放する開放状態と、を切換えるようにして前記空気の通風量を調節することを特徴とする。
【０００７】
請求項１に記載の発明によれば、建物内の間仕切壁１の壁厚方向Ｘにおける表裏に亙って開口する通風口２と、この通風口２内に設けられ、間仕切壁１の表裏に亙る空気の通風量を調節可能なガラリ本体３と、通風口２の縁部２ａにガラリ本体３の回転軌跡Ｒの近傍かつ外側に配置されるようにして取り付けられ、通風口２の縁部２ａとガラリ本体３との隙間を遮蔽する遮蔽壁部４を有する枠体５と、を備えてなる、建物内の空気の通風量を調節するための屋内通風構造であって、ガラリ本体３を通風口２内に間仕切壁１の壁厚方向Ｘと直交する方向（水平方向Ｙ）を中心として回転自在に支持する回転軸６と、この回転軸６を介して対向して設けられる一対の隔壁部７，７と、を有するガラリ本体３が、一対の隔壁部７，７を、間仕切壁１の表裏両側における通風口２の開口端部２ｃに対向して配置させることで当該通風口２を閉塞する閉塞状態と、一対の隔壁部７，７を、閉塞状態から回転軸６を中心に傾けることで通風口２を間仕切壁１の表裏に亙って開放する開放状態と、を切換えるようにして空気の通風量を調節するようにしたので、通風口２内に設けたガラリ本体３を回転させることで、当該通風口２の開放状態と閉塞状態とを切り換えることにより、建物内における部屋と部屋との間で流通される空気の通風量を調節することができる。
このとき、ガラリ本体３自体が回転するため、従来のように、ガラリ本体の羽根やシャッター等が、常時、人目につくようなことはない。すなわち、通風口２の閉塞時には、間仕切壁１の表裏両側における通風口２の開口端部２ｃに、一対の隔壁部７，７を対向して配置させて当該通風口２を塞ぐことにより、これら一対の隔壁部７，７を通風口２の周囲の壁面と同化させることができるため、屋内通風構造全体としての見映えを向上させることができる。かくして、外観性の向上を図りつつ、屋内における空気の通風量を調節することができる屋内通風構造を実現することができる。
【０００８】
請求項２に記載の発明は、例えば図１，２，４に示すように、請求項１に記載の屋内通風構造において、
前記遮蔽壁部４は、前記通風口２に対して複数設けられており、
当該複数の遮蔽壁部４…は、前記間仕切壁１の表裏両側におけるそれぞれに、互いに離間して配置されていることを特徴とする。
【０００９】
請求項２に記載の発明によれば、遮蔽壁部４は通風口２に対して複数設けられており、当該複数の遮蔽壁部４…は、間仕切壁１の表裏両側におけるそれぞれに、互いに離間して配置されることが好ましい。これにより、枠体５が通風口２の縁部２ａに対し一体的に配設される場合に比べて、表裏に別体で（個々に）設けられるので、通風口２に対し容易に取り付けることができる。すなわち、枠体５の取付性を向上させることができる。
【００１０】
請求項３に記載の発明は、例えば図１，２，４に示すように、請求項１または２に記載の屋内通風構造において、
前記ガラリ本体３は、前記一対の隔壁部７，７間にこれら隔壁部７，７と平行に配設される羽根部１０を有することを特徴としている。
【００１１】
請求項３に記載の発明によれば、ガラリ本体３は、一対の隔壁部７，７間にこれら隔壁部７，７と平行に配設される羽根部１０を有しているので、当該羽根部１０によってガラリ本体３を通過する空気の流通方向を指示することができ、当該空気を効率よく流通させることができる。
【００１２】
請求項４に記載の発明は、請求項３に記載の屋内通風構造において、
前記羽根部１０は、前記一対の隔壁部７，７と平行となる角度を含めて前記ガラリ本体３の回転方向Ｂに角度調整可能に配設されることを特徴とする。
【００１３】
請求項４に記載の発明によれば、羽根部１０は、一対の隔壁部７，７と平行となる角度を含めてガラリ本体３の回転方向に角度調整可能に配設されるので、ガラリ本体３を通過する空気の流通方向をガラリ本体３の回転方向Ｂに向けてきめ細かに調節することができると共に、当該空気の通風量をより細かく調節することができる。
【００１４】
請求項５に記載の発明は、例えば図５，６に示すように、請求項１〜４のいずれか一項に記載の屋内通風構造において、
前記ガラリ本体３が前記通風口２内に複数隣接して設けられており、
前記一対の隔壁部７，７は、それぞれ前記回転軌跡Ｒとの交点同士を結ぶ直線を中心として、当該回転軌跡Ｒを反転させた形状に沿って前記回転軸６側へ湾曲した形状をなしていることを特徴とする。
【００１５】
請求項５に記載の発明によれば、ガラリ本体３が通風口２内に複数隣接して設けられており、各隔壁部７…は、それぞれガラリ本体３の回転軌跡Ｒとの交点同士を結ぶ直線を中心として、当該回転軌跡Ｒを反転させた形状に沿って回転軸６側へ湾曲した形状をなしているので、各隔壁部７…を隣接して配置しても互いに接触することなく順次回転させることができ、外観性の向上を図ることができる。
また、このようにガラリ本体３が複数配設される場合、通風口２の大きさが、当該ガラリ本体３を複数設ける際と、ガラリ本体３を単体（単数）で設ける際とで同等であれば、複数設けられるガラリ本体３…の各々の大きさが小型化されることになるので、当該ガラリ本体３…を通過する空気の通風量を更に細かく調節することができる。
さらに、ガラリ本体３を単体で設ける際と比して、通風口２の大きさが拡大された場合（すなわち、単体で設けられる際の大きさのガラリ本体３が複数設けられた場合）、複数のガラリ本体３…が配設される通風口２の大きさが拡大されることによって、これら複数のガラリ本体３…を通過する空気の通風量を増加させることができるので、換気や排気を行う場合の効率を格段と向上させることができる。
【００１６】
請求項６に記載の発明は、例えば図１，４に示すように、請求項１〜５のいずれか一項に記載の屋内通風構造において、
前記間仕切壁１の上端側表裏面には、当該間仕切壁１によって間仕切られる前記部屋と部屋との双方の天井板９，９がそれぞれ取り付けられており、
前記通風口２は、当該通風口２の上端側が前記双方の天井板９，９よりも上方に位置するようにして前記間仕切壁１の天井際に形成されており、
前記ガラリ本体３は、前記回転軸６の回転中心が前記間仕切壁１の壁厚方向Ｘと直交する水平方向Ｙに配置されるようにして前記通風口２内に設けられており、
前記通風口２の前記上端側に配置される前記枠体５は、前記遮蔽壁部４が前記双方の天井板９，９のうち、前記通風口２側の縁部９ａ，９ａに当接されるようにして当該天井板９，９近傍に配置されていることを特徴とする。
【００１７】
請求項６に記載の発明によれば、間仕切壁１の上端側表裏面には、当該間仕切壁１によって間仕切られる部屋と部屋との双方の天井板９，９がそれぞれ取り付けられており、通風口２は、当該通風口２の上端側が双方の天井板９，９よりも上方に位置するようにして間仕切壁１の天井際に形成されており、ガラリ本体３は、回転軸６の回転中心が間仕切壁１の壁厚方向Ｘと直交する水平方向Ｙに配置されるようにして通風口２内に設けられており、通風口２の上端側に配置される枠体５は、遮蔽壁部４が双方の天井板９，９のうち、通風口２側の縁部９ａ，９ａに当接されるようにして当該天井板９，９近傍に配置されているので、天井板９，９とガラリ本体３を配設する通風口２との間の余分なスペースをなくすことができ、必要最低限の枠体５（遮蔽壁部４）のみが人目に触れるだけで、ガラリ本体３を天井際に配置することができる。よって、見映えが良くなり、外観性の向上を図ることができる。
とりわけ、ガラリ本体３は、回転軸６の回転中心が間仕切壁１の壁厚方向Ｘと直交する水平方向Ｙ（すなわち、ガラリ本体３の回転軸６を天井板９，９と平行となる通風口２に対して横方向）に配置される場合、ガラリ本体３の回転軌跡Ｒの一部を双方の天井板９，９よりも上方に位置する通風口２の上端側に収容することができるので、必要最低限の枠体５のみを人目に触れさせるだけで良いため、見映えが良く、外観性の向上を図ることができる。
【発明の効果】
【００１８】
本発明によれば、外観性の向上を図りつつ、屋内における空気の通風量を調節することができる屋内通風構造を実現することができる。
【図面の簡単な説明】
【００１９】
【図１】本発明の屋内通風構造の一実施形態を概略的に示し、（ａ）はガラリ本体の開放状態を示す正面図、（ｂ）はガラリ本体の閉塞状態を示す正面図である。
【図２】図１のガラリ本体を示す斜視図である。
【図３】図１のガラリ本体を上方から見て示す上面図である。
【図４】図３のガラリ本体をＡ−Ａ方向から見て示す断面図である。
【図５】本発明の屋内通風構造の他の実施形態を示す縦断面図である。
【図６】図５のガラリ本体を概略的に示し、（ａ）はガラリ本体の閉塞状態を示す斜視図、（ｂ）はガラリ本体の開放状態を示す斜視図である。
【図７】本発明の屋内通風構造における他の実施形態の説明に供する概略図であり、（ａ）はガラリ本体の開放状態を示す正面図、（ｂ）はガラリ本体の閉塞状態を示す正面図である。
【発明を実施するための形態】
【００２０】
以下、本発明の屋内通風構造における一実施形態について図面を参照しながら詳細に説明する。
図１は本発明の屋内通風構造の一実施形態を概略的に示し、（ａ）はガラリ本体の開放状態を示す正面図、（ｂ）はガラリ本体の閉塞状態を示す正面図である。図２は図１のガラリ本体を示す斜視図であり、図３は図１のガラリ本体を上方から見て示す上面図であり、図４は図３のガラリ本体をＡ−Ａ方向から見て示す断面図である。
【００２１】
図１〜図４に示すように、本実施形態の屋内通風構造は、住宅等の建物内における空気の通風量を調節するためのものであり、建物内の部屋と部屋とを間仕切る間仕切壁１に設けられ、当該間仕切壁１の壁厚方向Ｘにおける表裏に亙って開口する通風口２と、この通風口２内に設けられ、間仕切壁１の表裏に亙る空気の通風量を調節可能なガラリ本体３と、通風口２の縁部２ａにガラリ本体３の回転軌跡Ｒの近傍かつ外側に配置されるようにして取り付けられ、通風口２の縁部２ａとガラリ本体３との隙間を遮蔽する遮蔽壁部４を有する枠体５と、を備えている。
【００２２】
ガラリ本体３は、当該ガラリ本体３を通風口２内に間仕切壁１の壁厚方向Ｘと直交する方向（具体的に、ここでは水平方向Ｙ（横方向））を中心として回転自在に支持する回転軸６と、この回転軸６を介して対向して設けられる一対の隔壁部７，７と、を有している。
ガラリ本体３の長手方向における両端部には、側板３ａ，３ａが対向して配置されており、これら側板３ａ，３ａには、それぞれ隔壁部７，７の長手方向両端部において向かい合う当該隔壁部７，７同士に亘って配置される矩形状の軸受部８，８が一体的に設けられている。そして、これら軸受部８，８と、通風口２内の側板３ａ，３ａと対向する側面２ｂ，２ｂとの間に、それぞれ短尺な２本の回転軸６，６が配設されている。なお、ここで、回転軸６は短尺であり、各軸受部８，８と、通風口２内の側面２ｂ，２ｂとの間にそれぞれ（すなわち、２本）設けられている場合について述べるが、一例であってこれに限られず、例えば、回転軸６としては、ガラリ本体３の長手方向に沿って当該ガラリ本体３の略中心に延在する長尺なものであり、通風口２内の側面２ｂ，２ｂに亘って１本設けるようにしても良い。
【００２３】
また、枠体５の遮蔽壁部４は、通風口２に対して複数設けられており、当該複数の遮蔽壁部４…は、間仕切壁１の表裏両側におけるそれぞれに、互いに離間して例えば一対で配置されている。なお、これは一例であってこれに限られず、遮蔽壁部４は、通風口２の縁部２ａ全体に配置されるように、間仕切壁１の表裏両側で一体的に形成されるようにしても良い。
【００２４】
ここで、かかる屋内通風構造が、間仕切壁１によって間仕切られた部屋と部屋との天井際に配設される場合について詳細に説明する。具体的に、図１および図４に示すように、間仕切壁１の上端側表裏面には、当該間仕切壁１によって間仕切られる部屋と部屋（図示省略）との双方の天井板９，９がそれぞれ取り付けられている。
また、通風口２は、当該通風口２の上端側が双方の天井板９，９よりも上方に位置するようにして間仕切壁１の天井際に形成されている。さらに、ガラリ本体３は、回転軸６，６の回転中心が間仕切壁１の壁厚方向Ｘと直交する水平方向Ｙに配置されるようにして通風口２内の側面２ｂ，２ｂと、軸受部８，８との間に設けられている。
また、通風口２の上端側に配置される枠体５は、遮蔽壁部４（この場合、複数の遮蔽壁部４…）が双方の天井板９，９のうち、通風口２側の縁部９ａ，９ａに当接されるようにして当該天井板９，９近傍に配置されている。
【００２５】
そして、ガラリ本体３は、これら一対の隔壁部７，７を、間仕切壁１の表裏両側における通風口２の開口端部２ｃ，２ｃに対向して配置させることで当該通風口２を閉塞する閉塞状態と、一対の隔壁部７，７を、閉塞状態から回転軸６，６を中心に傾けることで通風口２を間仕切壁１の表裏に亙って開放する開放状態と、を切換えるようにして、建物内における部屋と部屋との間で流通される空気の通風量を調節するようになっている。
【００２６】
このとき、ガラリ本体３は、一対の隔壁部７，７間にこれら隔壁部７，７と平行に配設される羽根部１０を有することが好ましい。これにより、羽根部１０によって通風口２内のガラリ本体３を通過する空気の流通方向を指示することができ、当該空気を効率よく流通させることができるようになっている。
さらに、羽根部１０は、一対の隔壁部７，７と平行となる角度を含めて、ガラリ本体３の回転方向Ｂ（図２参照）に角度調整可能に配設されることが望ましい。これにより、通風口２内のガラリ本体３を通過する空気の流通方向をきめ細かに調節することができると共に、当該空気の通風量をより細かく調節することができる利点を備えることが可能となる。
【００２７】
以上、説明したように、本実施形態の屋内通風構造によれば、建物内の間仕切壁１の壁厚方向Ｘにおける表裏に亙って開口する通風口２と、この通風口２内に設けられ、間仕切壁１の表裏に亙る空気の通風量を調節可能なガラリ本体３と、通風口２の縁部２ａにガラリ本体３の回転軌跡Ｒの近傍かつ外側に配置されるようにして取り付けられ、通風口２の縁部２ａとガラリ本体３との隙間を遮蔽する遮蔽壁部４を有する枠体５と、を備えてなる、建物内の空気の通風量を調節するための屋内通風構造であって、ガラリ本体３を通風口２内に間仕切壁１の壁厚方向Ｘと直交する方向（例えば、水平方向Ｙ）を中心として回転自在に支持する回転軸６と、この回転軸６を介して対向して設けられる一対の隔壁部７，７と、を有するガラリ本体３が、一対の隔壁部７，７を、間仕切壁１の表裏両側における通風口２の開口端部２ｃに対向して配置させることで当該通風口２を閉塞する閉塞状態と、一対の隔壁部７，７を、閉塞状態から回転軸６を中心に傾けることで通風口２を間仕切壁１の表裏に亙って開放する開放状態と、を切換えるようにして空気の通風量を調節するようにしたので、通風口２内に設けたガラリ本体３を回転させることで、当該通風口２の開放状態と閉塞状態とを切り換えることにより、建物内における部屋と部屋との間で流通される空気の通風量を調節することができる。
このとき、ガラリ本体３自体が回転するため、従来のように、ガラリ本体の羽根やシャッター等が、常時、人目につくようなことはない。すなわち、通風口２の閉塞時には、間仕切壁１の表裏両側における通風口２の開口端部２ｃに、一対の隔壁部７，７を対向して配置させて当該通風口２を塞ぐことにより、これら一対の隔壁部７，７を通風口２の周囲の壁面と同化させることができるため、屋内通風構造全体としての見映えを向上させることができる。かくして、外観性の向上を図りつつ、屋内における空気の通風量を調節することができる屋内通風構造を実現することができる。
【００２８】
また、遮蔽壁部４は通風口２に対して複数設けられており、当該複数の遮蔽壁部４…は、間仕切壁１の表裏両側におけるそれぞれに、互いに離間して配置されることが好ましい。これにより、枠体５が通風口２の縁部２ａに対し一体的に配設される場合に比べて、表裏に別体で（個々に）設けられるので、通風口２に対し容易に取り付けることができる。すなわち、枠体５の取付性を向上させることができる。
なお、枠体５は、間仕切壁１の壁厚方向Ｘにおける表側と裏側の通風口２のそれぞれに対向して配置されるように、一対の遮蔽壁部４，４からなることが好ましい。これにより、通風口２の縁部２ａに対し、一対の遮蔽壁部４，４を間仕切壁１の表裏両側から取り付けるだけで、簡単に枠体５を配設することが可能となる利点を有することができる。
【００２９】
また、ガラリ本体３は、一対の隔壁部７，７間にこれら隔壁部７，７と平行に配設される羽根部１０を有することが好ましい。これにより、当該羽根部１０によって通風口２内のガラリ本体３を通過する空気の流通方向を指示することができ、当該空気を効率よく流通させることができる。
【００３０】
さらに、羽根部１０は、一対の隔壁部７，７と平行となる角度を含めてガラリ本体３の回転方向Ｂに角度調整可能に配設されることが望ましい。これにより、通風口２内のガラリ本体３を通過する空気の流通方向を当該回転方向Ｂに向けてきめ細かに調節することができると共に、当該空気の通風量をより細かく調節することができる。
【００３１】
しかも、間仕切壁１の上端側表裏面には、当該間仕切壁１によって間仕切られる部屋と部屋との双方の天井板９，９がそれぞれ取り付けられており、通風口２は、当該通風口２の上端側が双方の天井板９，９よりも上方に位置するようにして間仕切壁１の天井際に形成されており、ガラリ本体３は、回転軸６の回転中心が間仕切壁１の壁厚方向Ｘと直交する水平方向Ｙに配置されるようにして通風口２内に設けられており、通風口２の上端側に配置される枠体５は、遮蔽壁部４が双方の天井板９，９のうち、通風口２側の縁部９ａ、９ａに当接されるようにして当該天井板９，９近傍に配置されているので、天井板９，９とガラリ本体３を配設する通風口２との間の余分なスペースをなくすことができ、必要最低限の枠体５（遮蔽壁部４）のみが人目に触れるだけで、ガラリ本体３を天井際に配置することができる。よって、見映えが良くなり、外観性の向上を図ることができる。
とりわけ、ガラリ本体３は、回転軸６の回転中心が間仕切壁１の壁厚方向Ｘと直交する水平方向Ｙ（すなわち、ガラリ本体３の回転軸６を天井板９，９と平行となる通風口２に対して横方向）に配置される場合、ガラリ本体３の回転軌跡Ｒの一部を双方の天井板９，９よりも上方に位置する通風口２の上端側に収容することができるので、必要最低限の枠体５のみを人目に触れさせるだけで良いため、見映えが良く、外観性の向上を図ることができる。
【００３２】
なお、本発明は、上述した実施形態に限定されることなく、本発明の趣旨を逸脱しない範囲において、適宜、種々の改良および設計の変更が可能である。
【００３３】
例えば、上述した実施形態では、ガラリ本体３が間仕切壁１の天井際に設けられた通風口２内に、当該間仕切壁１の壁厚方向Ｘと直交する水平方向Ｙ（横方向）に配設される場合について述べたが、本発明はこれに限らず、ガラリ本体３の配設位置や配設方向は、用途等に応じて適宜変更可能である。
具体的に一例を挙げると、例えば図４との対応部分に同一符号を付した図５および図６に示すように、ガラリ本体３が通風口２内の間仕切壁１における壁厚方向Ｘに直交する垂直方向Ｚに複数（ここでは、３つ）隣接して設けられるようにしても良い。この場合、各隔壁部７…は、それぞれガラリ本体３の回転軌跡Ｒとの交点同士を結ぶ直線を中心として、当該回転軌跡Ｒを反転させた形状に沿って回転軸６側へ湾曲した形状をなしている。
これにより、各隔壁部７…を隣接して配置しても互いに接触することなく順次回転させることができ、外観性の向上を図ることができる。但し、各ガラリ本体３…は、４５度ずつの回転であると隣接するガラリ本体３，３の対向する隔壁部７，７同士が接触してしまうおそれがある。従って、各ガラリ本体３…は順次半回転（９０度ずつ回転）させる必要がある。
【００３４】
また、このようにガラリ本体３が複数配設される場合、通風口２の大きさが、当該ガラリ本体３を複数設ける際と、ガラリ本体３を単体（単数）で設ける際とで同等であれば、複数設けられるガラリ本体３…の各々の大きさが小型化されることになるので、当該ガラリ本体３を通過する空気の通風量を更に細かく調節することができる。
さらに、ガラリ本体３を単体で設ける際と比して、通風口２の大きさが拡大された場合（すなわち、単体で設けられる際の大きさのガラリ本体３が複数設けられた場合）、複数のガラリ本体３…が配設される通風口２の大きさが拡大されることによって、これら複数のガラリ本体３…を通過する空気の通風量を増加させることができるので、換気や排気を行う場合の効率を格段と向上させることができる。
【００３５】
また、例えば図１との対応部分に同一符号を付した図７に示すように、通風口２を間仕切壁１の壁厚方向Ｘ（図３、図５参照）と直交する垂直方向Ｚ（縦方向）に配設し、当該通風口２内の前記垂直方向Ｚを長手方向とするように、ガラリ本体３を配設するようにしても良い。このとき、ガラリ本体３は、当該垂直方向Ｚに向けて単体または間仕切壁１の水平方向Ｙ（図３参照）に隣接して複数配設するようにしても良い。換言すれば、図１において、間仕切壁１に対し横方向（水平方向）に配置された通風口２およびガラリ本体３を、図７に示すように、間仕切壁１に対し縦方向（垂直方向）に配置するようにしても良い。この場合、通風口２内のガラリ本体３を通過する空気の流通方向を、間仕切壁１に対する水平方向（横方向）に調節することができる。
【符号の説明】
【００３６】
１…間仕切壁
２…通風口
２ａ…縁部
３…ガラリ本体
４…遮蔽壁部
５…枠体
６…回転軸
７…隔壁部
９…天井板
１０…羽根部
Ｂ…回転方向
Ｒ…回転軌跡
Ｘ…壁厚方向
Ｙ…水平方向
Ｚ…垂直方向
【図１】
2014066068.tif 000003
【図２】
2014066068.tif 000004
【図３】
2014066068.tif 000005
【図４】
2014066068.tif 000006
【図５】
2014066068.tif 000007
【図６】
2014066068.tif 000008
【図７】
2014066068.tif 000009